(57)【要約】【課題】保護管内へのケーブルの挿入をスムーズに行うことができ、かつ、防虫効果もしくは防蟻効果または防鼠効果を備えた、ケーブル挿入用の潤滑剤を提供する。【解決手段】潤滑剤は、保護管２内へのケーブル１の挿入時に保護管２とケーブル１との摩擦抵抗を軽減するための潤滑剤であって、防虫成分もしくは防蟻成分または防鼠成分を含有する。そこで、この潤滑剤をケーブル１の外面または／および保護管２の内面に塗布して、ケーブル１を保護管２内に挿入する。潤滑剤は、防虫成分もしくは防蟻成分または防鼠成分を含有しており、保護管２に挿入されるケーブル１または／およびその保護管２に防虫効果もしくは防蟻効果または防鼠効果を付与することができる。【選択図】  図１
2016134994.tif 000002
【特許請求の範囲】
【請求項１】
保護管内へのケーブルの挿入時に保護管とケーブルとの摩擦抵抗を軽減するための潤滑剤であって、
防虫・防蟻・防鼠成分を含有してなる、ケーブル挿入用の潤滑剤。
【請求項２】
防虫・防蟻・防鼠成分を含有する潤滑剤をケーブルの外面または／および保護管の内面に塗布するとともに、前記ケーブルを前記保護管内に送り込んでまたは引き込んで前記保護管内に前記ケーブルを挿入する、ケーブル挿入方法。
【請求項３】
前記保護管は、防虫・防蟻・防鼠成分を含有する合成樹脂により形成されている、請求項２に記載のケーブル挿入方法。
【請求項４】
ケーブルを収容保護するための保護管であって、
防虫・防蟻・防鼠成分を含有する潤滑剤が、内面に塗布されてなる、ケーブル用の保護管。
【発明の詳細な説明】
【技術分野】
【０００１】
この発明は、保護管内へのケーブルの挿入をスムーズに行うことができる、ケーブル挿入用の潤滑剤、ケーブル挿入方法、およびケーブル用の保護管に関するものである。
【背景技術】
【０００２】
従来、ケーブルが挿入される保護管にあっては、防虫・防蟻・防鼠対策として、防虫・防蟻・防鼠成分を含有する保護管を使用することがあった。
【０００３】
また、一方において、保護管内にケーブルを挿入する際に、保護管とケーブルとの摩擦抵抗を減らしてスムーズに挿入することができるよう、ケーブルの外面に潤滑剤を塗布したり（例えば、特許文献１参照）、保護管の内面に潤滑剤を塗布したりすることがあった（例えば、特許文献２参照）。
【先行技術文献】
【特許文献】
【０００４】
【特許文献１】特開２０００−５０４５０号公報
【特許文献２】特開平８−１６３７３９号公報
【発明の概要】
【発明が解決しようとする課題】
【０００５】
ところで、前記従来の保護管のような防虫・防蟻・防鼠対策を施した保護管に対してケーブルを挿入する場合に、潤滑剤を用いて挿入すると、その潤滑剤が保護管の内面に付着することで、潤滑剤が保護管の防虫・防蟻・防鼠成分を覆ってしまい、防虫・防蟻・防鼠効果が無くなる、または弱くなるという問題があった。
【０００６】
この発明は、上記した従来の欠点を解決するためになされたものであり、その目的とするところは、保護管内へのケーブルの挿入をスムーズに行うことができ、かつ、保護管に挿入されるケーブルまたは／およびその保護管に防虫・防蟻・防鼠効果を付与することができる、ケーブル挿入用の潤滑剤、およびケーブル挿入方法を提供することにある。
【０００７】
また、その目的とするところは、保護管内へのケーブルの挿入をスムーズに行うことができ、かつ、防虫・防蟻・防鼠効果を備えた、ケーブル用の保護管を提供することにある。
【課題を解決するための手段】
【０００８】
この発明に係るケーブル挿入用の潤滑剤、ケーブル挿入方法、およびケーブル用の保護管は、前記目的を達成するために、次の構成からなる。すなわち、
請求項１に記載の発明に係るケーブル挿入用の潤滑剤は、保護管内へのケーブルの挿入時に保護管とケーブルとの摩擦抵抗を軽減するための潤滑剤であって、防虫・防蟻・防鼠成分を含有してなる。そこで、この潤滑剤をケーブルの外面または／および保護管の内面に塗布して、ケーブルを保護管内に挿入すると、その保護管内へのケーブルの挿入をスムーズに行うことができる。しかも、この潤滑剤は、防虫・防蟻・防鼠成分を含有しており、保護管に挿入されるケーブルまたは／およびその保護管に防虫・防蟻・防鼠効果を付与することができる。
【０００９】
また、請求項２に記載の発明に係るケーブル挿入方法は、防虫・防蟻・防鼠成分を含有する潤滑剤をケーブルの外面または／および保護管の内面に塗布するとともに、前記ケーブルを前記保護管内に送り込んでまたは引き込んで前記保護管内に前記ケーブルを挿入する。こうして、潤滑剤をケーブルの外面または／および保護管の内面に塗布して、ケーブルを保護管内に挿入すると、その保護管内へのケーブルの挿入をスムーズに行うことができる。しかも、この潤滑剤は、防虫・防蟻・防鼠成分を含有しており、保護管に挿入されるケーブルまたは／およびその保護管に防虫・防蟻・防鼠効果を付与することができる。
【００１０】
また、請求項３に記載の発明に係るケーブル挿入方法のように、請求項２に記載のケーブル挿入方法において、前記保護管は、防虫・防蟻・防鼠成分を含有する合成樹脂により形成されもよい。こうして、潤滑剤が防虫・防蟻・防鼠成分を含有するだけでなく、保護管が防虫・防蟻・防鼠成分を含有する合成樹脂により形成されることで、その保護管自身が、防虫・防蟻・防鼠効果を備えることとなる。
【００１１】
また、請求項４に記載の発明に係るケーブル用の保護管は、ケーブルを収容保護するための保護管であって、防虫・防蟻・防鼠成分を含有する潤滑剤が、内面に塗布されている。こうして、保護管には、潤滑剤が塗布されていることから、この保護管内へのケーブルの挿入をスムーズに行うことができる。しかも、潤滑剤は、防虫・防蟻・防鼠成分を含有しており、その潤滑剤が塗布された保護管は、防虫・防蟻・防鼠効果を備えることとなる。
【発明の効果】
【００１２】
この発明に係るケーブル挿入用の潤滑剤、およびケーブル挿入方法によれば、潤滑剤が防虫・防蟻・防鼠成分を含有することで、保護管内へのケーブルの挿入をスムーズに行うことができ、かつ、保護管に挿入されるケーブルまたは／およびその保護管に防虫・防蟻・防鼠効果を付与することができる。
【００１３】
また、この発明に係るケーブル用の保護管によれば、保護管の内面に防虫・防蟻・防鼠成分を含有する潤滑剤が塗布されることで、保護管内へのケーブルの挿入をスムーズに行うことができ、かつ、その保護管は、防虫・防蟻・防鼠効果を備える。
【図面の簡単な説明】
【００１４】
【図１】この発明の一実施の形態の断面図である。
【発明を実施するための形態】
【００１５】
以下、この発明を実施するための形態を図面に基づいて説明する。
【００１６】
図１は、本発明の一実施の形態を示す。図中符号１は、ケーブル（つまり、電力ケーブルとか通信ケーブル（光ファイバケーブルを含む）等のケーブル）を示す。２は、そのケーブル１を収容保護するための保護管を示す。
【００１７】
ここで、ケーブル１を保護管２内に挿入するケーブル挿入方法は、潤滑剤（図示せず）をケーブル１の外面または／および保護管２の内面に塗布するとともに、ケーブル１を保護管２内に送り込んでまたは引き込んで保護管２内にケーブル１を挿入する。ここにおいて、潤滑剤は、保護管２内へのケーブル１の挿入時に保護管２とケーブル１との摩擦抵抗を軽減するための潤滑剤であって、防虫・防蟻・防鼠成分（本発明において、防虫・防蟻・防鼠成分とは、防虫成分もしくは防蟻成分または防鼠成分を意味する。）を含有する。
【００１８】
具体的には、保護管２は、波付管からなる。そして、保護管２は、防虫・防蟻・防鼠成分（防虫成分もしくは防蟻成分または防鼠成分）を含有する合成樹脂により形成されている。この保護管２における防虫・防蟻・防鼠成分は、例えば、防蟻成分としての、クロチアニジン等のネオニコチノイド系化合物からなる。そして、保護管２は、その防蟻成分を封入したマイクロカプセルが、ベースとなる塩化ビニル樹脂とかポリエチレン樹脂とかナイロン樹脂等の合成樹脂材料とともに混練されて成形される。
【００１９】
潤滑剤は、例えば、水溶性潤滑ポリマーと水とからなり、水が９５〜９９重量％に対し、ポリエチレングリコール、イソプロピルアルコール、プロピレングリコール等が、１重量％未満配合されている。そして、このベースとなる潤滑剤に、防虫・防蟻・防鼠成分を配合することで、防虫・防蟻・防鼠成分を含有する潤滑剤が作られる。この潤滑剤における防虫・防蟻・防鼠成分は、例えば、防蟻成分としての、クロチアニジン等のネオニコチノイド系化合物からなる。詳細には、その防蟻成分は、マイクロカプセルに封入された状態で潤滑剤に配合される。より詳細には、その防蟻成分は、クロチアニジンからなり、そのクロチアニジンは、潤滑剤中、０．０５重量％となるように配合される。ここで、クロチアニジンの配合率（含有率）は、それ以上であればよく、特に、０．０５〜１重量％であるのが好ましが、その範囲に限定されるものではない。
【００２０】
そこで、ケーブル１の挿入にあたっては、例えばケーブル１の外面に、この潤滑剤を塗布しながら、そのケーブル１を保護管２内に挿入する。
【００２１】
次に、以上の構成からなるケーブル挿入用の潤滑剤、およびケーブル挿入方法の作用効果について説明する。潤滑剤をケーブル１の外面または／および保護管２の内面（図示実施の形態においては、ケーブル１の外面）に塗布して、ケーブル１を保護管２内に挿入すると、その保護管２内へのケーブル１の挿入をスムーズに行うことができる。しかも、この潤滑剤は、防虫・防蟻・防鼠成分（図示実施の形態においては、防蟻成分）を含有しており、保護管２に挿入されるケーブル１または／およびその保護管２（図示実施の形態においては、ケーブル１）に防虫・防蟻・防鼠効果（防虫効果もしくは防蟻効果または防鼠効果、図示実施の形態においては、防蟻効果）を付与することができる。すなわち、潤滑剤が防虫・防蟻・防鼠成分（図示実施の形態においては、防蟻成分）を含有することで、保護管２内へのケーブル１の挿入をスムーズに行うことができ、かつ、保護管２に挿入されるケーブル１または／およびその保護管２に防虫・防蟻・防鼠効果（図示実施の形態においては、防蟻効果）を付与することができる。
【００２２】
また、この潤滑剤は、大半が水であり、潤滑剤をケーブル１の外面または／および保護管２の内面に塗布し、ケーブル１を保護管２内に挿入した後、時間の経過とともに、潤滑剤の大半を占める水が蒸発する。このため、残された防虫・防蟻・防鼠成分の多くが、ケーブル１あるいは保護管２の表面に現れることとなり、その防虫・防蟻・防鼠効果を高めることができる。
【００２３】
また、潤滑剤が防虫・防蟻・防鼠成分（図示実施の形態においては、防蟻成分）を含有するだけでなく、保護管２が防虫・防蟻・防鼠成分（図示実施の形態においては、防蟻成分）を含有する合成樹脂により形成されることで、その保護管２自身が、防虫・防蟻・防鼠効果（図示実施の形態においては、防蟻効果）を備えることとなる。これにより、保護管２の内面およびケーブル１をシロアリが歩行できず、保護管２内を通ってシロアリが家屋等に侵入することを防ぐことができる。
【００２４】
なお、本発明は、上述した実施の形態に限定されるわけではなく、その他種々の変更が可能である。例えば、保護管２は、防虫・防蟻・防鼠成分を含有する合成樹脂により形成されているが、その合成樹脂が、防虫・防蟻・防鼠成分を含有しなくともよい。
【００２５】
また、防虫・防蟻・防鼠成分を含有する潤滑剤は、ケーブル１の外面に塗布されるが、それに代えて、あるいは加えて、保護管２の内面に塗布されてもよい。そして、この防虫・防蟻・防鼠成分を含有する潤滑剤が内面に塗布された、ケーブル用の保護管２によれば、その保護管２には、潤滑剤が塗布されていることから、保護管２内へのケーブル１の挿入をスムーズに行うことができる。しかも、潤滑剤は、防虫・防蟻・防鼠成分を含有しており、その潤滑剤が塗布された保護管２は、防虫・防蟻・防鼠効果を備えることとなる。すなわち、保護管２の内面に防虫・防蟻・防鼠成分を含有する潤滑剤が塗布されることで、保護管２内へのケーブル１の挿入をスムーズに行うことができ、かつ、その保護管２は、防虫・防蟻・防鼠効果を備える。
【００２６】
また、潤滑剤に含有される防虫・防蟻・防鼠成分は、クロチアニジン等のネオニコチノイド系化合物でなくとも、シロアリとは異なる虫（例えば、ゴキブリとかムカデとかその他の虫）を防ぐための防虫成分であって、例えば、ゴキブリに対する防虫効果が高い、ピレスロイド系化合物であってもよい。そこで、このピレスロイド系化合物の濃度を変えることで、虫の忌避とか殺虫を行うことができる。また、この防虫・防蟻・防鼠成分は、他に、防虫・防蟻成分として、例えば、有機リン剤、カーバメート剤、ホウ素化合物、フッ素化合物等であってもよく、また、防鼠成分として、鼠忌避成分であるカプサイシン類であってもよい。そして、このことは、保護管２の合成樹脂に含有される防虫・防蟻・防鼠成分においても同様である。
【００２７】
また、保護管２は、波付管からならなくとも、平滑管からなっていてもよい。
【符号の説明】
【００２８】
１  ケーブル
２  保護管
【図１】
2016134994.tif 000003